(57)【要約】【課題】自動販売機の天井面に掛かる荷重により自動販売機内断熱庫の背面が後方に膨らむように湾曲した場合にも、断熱性能を良好に維持することができ、かつ製造コストの増加も最小限に抑えることのできる自動販売機の断熱構造を提供する。【解決手段】背面と両側面が一枚の板状体として繋がっている、平面視コ字状の真空断熱材１４で各断熱室１２を囲み、真空断熱材１４の内側に断熱保護部材１６を配設することにより、各断熱仕切壁１０の両側面が背面の動きに追随するように構成する。【選択図】図４
2010108199.tif 000002
【特許請求の範囲】
【請求項１】
自動販売機の本体内に断熱庫があり、前記断熱庫が複数の断熱室に分割され、各前記断熱室の両側面と背面とが断熱仕切壁によって囲まれ、かつ各前記断熱室に商品収容装置が配設されている自動販売機において、
各前記断熱室の前記断熱仕切壁は、前記断熱室内の前記商品収容装置に臨む位置へ配設される断熱保護部材を有し、
少なくとも一つの前記断熱室の前記断熱仕切壁は、前記断熱保護部材を囲む形で配設される真空断熱部材を有すること
を特徴とする自動販売機の断熱構造。
【請求項２】
真空断熱部材が、両側面と背面とが繋がった面材によって構成されていること
を特徴とする請求項１記載の自動販売機の断熱構造。
【請求項３】
真空断熱部材が、内部が真空状態になるよう密閉された、厚肉部と薄肉部とを有する面材から構成されており、前記薄肉部を境目として折り曲げることで前記厚肉部による囲いが形成されていること
を特徴とする請求項２に記載の自動販売機の断熱構造。
【請求項４】
真空断熱部材が、それぞれ内部が真空状態になるよう密閉された両側面部材と背面部材とに分割され、
前記背面部材が、厚肉部と薄肉部とを有する面材から構成されており、前記薄肉部を境目として折り曲げることで、前記背面部材の幅方向両端において前記厚肉部による折角部が形成され、
前記折角部に前記側面部材を当接することで前記真空断熱部材が構成されていること
を特徴とする請求項１に記載の自動販売機の断熱構造。
【請求項５】
真空断熱部材が、厚肉部における薄肉部寄り端部が傾斜した面形状に形成され、前記薄肉部を境目として折り曲げられた状態において、前記厚肉部の傾斜した面同士が互いに当接した形になっていること
を特徴とする、請求項３または請求項４に記載の自動販売機の断熱構造。
【請求項６】
真空断熱部材が、高さ方向に複数分割して配置されていること
を特徴とする請求項１ないし請求項５のいずれか１項に記載の自動販売機の断熱構造。
【請求項７】
自動販売機の本体内に断熱庫があり、前記断熱庫が複数の断熱室に分割されており、各前記断熱室の両側面と背面とが断熱仕切壁によって囲まれており、かつ各前記断熱室に商品収容装置が配設されている自動販売機において、
前記断熱仕切壁のうち少なくとも一枚は、両側面部と背面部とが繋がった状態の断熱部材で形成されていること
を特徴とする自動販売機の断熱構造。
【請求項８】
断熱仕切壁が、溝状の切り欠きが入った板状の断熱部材を前記溝状の切り欠きに沿って折り曲げることで、両側面部と背面部とが繋がった状態に形成されていること
を特徴とする請求項７記載の自動販売機の断熱構造。
【請求項９】
板状の断熱部材の表面を覆うようにフィルムが貼り付けられ、前記板状の断熱部材に入った溝状の切り欠きの深さが、前記板状の断熱部材の厚み方向において、前記フィルムの手前にまで達する深さであること
を特徴とする請求項８記載の自動販売機の断熱構造。
【請求項１０】
断熱仕切壁が、折り曲げられた状態において背面部と両側面部との当接部分が背面部に対して傾斜した面同士を当接させた形になっていること
を特徴とする請求項８または請求項９記載の自動販売機の断熱構造。
【請求項１１】
板状の断熱部材に入れられた溝状の切り欠きが、前記板状の断熱部材の表面に対して垂直に入っていることを特徴とする請求項８または請求項９記載の自動販売機の断熱構造。
【請求項１２】
断熱部材が断熱発泡材で構成されていることを特徴とする請求項７ないし請求項１１のいずれか１項に記載の自動販売機の断熱構造。
【請求項１３】
断熱仕切壁に、その表面の少なくとも一部を覆うようにフィルムが貼り付けられていることを特徴とする
請求項１ないし請求項１２のいずれか１項に記載の自動販売機の断熱構造。
【請求項１４】
フィルムがポリエステルを原料とする素材で構成されていることを特徴とする請求項１３記載の自動販売機の断熱構造。
【発明の詳細な説明】
【技術分野】
【０００１】
本発明は自動販売機の断熱構造に関する。
【背景技術】
【０００２】
商品を加温または冷却した状態、すなわち調温状態で販売する自動販売機は広く知られている。この種の自動販売機においては、前面扉を開閉自在に指示する自動販売機本体内に、箱型形状の断熱構造の断熱庫（いわゆる内箱）を配置し、この断熱庫内を、断熱性を有する断熱仕切板により左右に対して複数（例えば、２つや３つ）の断熱室に区切り、各断熱室内に商品を収納するとともに、各断熱室内の空気を、冷凍サイクルの蒸発器により冷却したり、ヒータにより加熱したりすることで、良好な温度に調温された商品を販売できるよう構成されている。
【０００３】
この種の断熱庫の構成としては、薄板箱形状の金属外枠の内部にウレタン発泡樹脂などの発泡断熱材を注入して板状の断熱板状体を形成するとともに、この断熱板状体を組み合わせて接合した構成が一般に採用されている。また、断熱室同士を仕切る断熱仕切板も同様な構成の断熱板状体が用いられている。
【０００４】
ところで、いわゆるサーペンタイン式の自動販売機や直積み式の自動販売機においては、図８に示すように、自動販売機８０の内部において、多数の商品を収納した商品収納装置８３を、ガイドレール装置８１などを介して、天井面８２から吊り下げて構成している。
【０００５】
したがって極めて大きな荷重が天井面８２より下方に作用することとなるため、その荷重により断熱庫の背面部８４が側面視して中央が後方に膨らむように湾曲し、この結果、断熱庫の背面部８４と、断熱仕切板の後辺部との間に隙間８５を生じ、隣接する断熱室同士の間で空気が移動し、断熱性能が低下するおそれがある。
【０００６】
この問題に対応するために、例えば、特許文献１などに開示されているように、断熱庫の背面部と断熱仕切板の後辺部との間に隙間を埋めるスポンジなどの弾性体を介装することが多く行われ、さらに、このように弾性体を介装した場合に、断熱庫の背面部と断熱仕切板の後辺部との間の間隔が、弾性体のために大きく広がってしまわないように、断熱庫の背面部と断熱仕切板の後辺部とを連結する連結部材を、断熱庫の背面部を通して取り付けたものも特許文献２などに開示されている。
【特許文献１】特開平１１−３５３５４４号公報
【特許文献２】特開２００６−１７８８６０号公報
【発明の開示】
【発明が解決しようとする課題】
【０００７】
しかしながら、上記特許文献１，２に記載されているような、従来構成によれば、断熱庫の背面部と断熱仕切板の後辺部との間に配設した弾性体自体はあまり断熱性能がよくないため、断熱性能が低下することになる。また、特許文献２に記載されているような従来技術の場合には、断熱板状体以外に、弾性体や連結部材が必要となるため、製造コストが増加する欠点もある。
【０００８】
本発明は、上記課題を解決するもので、断熱性能を良好に維持することができ、かつ製造コストの増加も最小限に抑えることのできる自動販売機の断熱構造を提供することを目的とするものである。
【課題を解決するための手段】
【０００９】
上記課題を解決するために本発明の自動販売機の断熱構造は、
自動販売機の本体内に断熱庫があり、前記断熱庫が複数の断熱室に分割され、各前記断熱室の両側面と背面とが断熱仕切壁によって囲まれ、かつ各前記断熱室に商品収納装置が配設されている自動販売機において、各前記断熱室の前記断熱仕切壁は、前記断熱室内の前記商品収納装置に臨む位置へ配設される断熱保護部材を有し、少なくとも一つの前記断熱室の前記断熱仕切壁は、前記断熱保護部材を囲む形で配設される真空断熱部材を有することを特徴とする。
【００１０】
これにより、真空断熱部材と断熱保護部材による二重構造の断熱仕切壁が断熱室を囲むように配設されることになるので、自動販売機本体の背面が湾曲した際でも、各断熱室の背面部と断熱仕切壁の後端部との隙間が生じにくくなって、各断熱室同士の熱のやり取りを最小限に抑えることができ、断熱性能の低下を防ぐことができる。また、断熱室を囲む真空断熱部材が断熱保護部材により内側から覆われて保護されるので、断熱室内に配設された器具などによって真空断熱部材が損傷して、断熱性能が大幅に低下することが防止される。
【００１１】
また、請求項２に係る発明は、請求項１記載の自動販売機の断熱構造において、真空断熱部材が、両側面と背面とが繋がった面材によって構成されていることを特徴とする。
これにより、断熱室を囲むように真空断熱部材が配設されることになり、また、両側面と背面とが繋がっているため、自動販売機本体の背面が湾曲した際の各断熱室における背面部と、断熱仕切板の後辺部との間に生じる隙間をなくすことができ、その隙間から空気が移動することを防ぐことが出来る。
【００１２】
また、請求項３に係る発明は、請求項２に記載の自動販売機の断熱構造において、真空断熱部材が、内部が真空状態になるよう密閉された、厚肉部と薄肉部とを有する面材から構成されており、前記薄肉部を境目として折り曲げることで前記厚肉部による囲いが形成されていることを特徴とする。
【００１３】
これにより、真空断熱部材を種々の大きさの断熱庫に対応して形成することができる。また、自動販売機本体の背面が湾曲した際の各断熱室における背面部と、断熱仕切板の後辺部との間に生じる隙間をなくすことができ、その隙間から空気が移動することを防ぐことが出来る。
【００１４】
また、請求項４に係る発明は、請求項１に記載の自動販売機の断熱構造において、真空断熱部材が、それぞれ内部が真空状態になるよう密閉された両側面部材と背面部材とに分割され、前記背面部材が、厚肉部と薄肉部とを有する面材から構成されており、前記薄肉部を境目として折り曲げることで、前記背面部材の幅方向両端において前記厚肉部による折角部が形成され、前記折角部に前記側面部材を当接することで前記真空断熱部材が構成されていることを特徴とする。
これにより、真空断熱部材を種々の大きさの断熱庫に対応して形成することができるとともに、真空断熱部材を小型のものに分割して製作できるので、製造時のコストを削減することができる。また、真空断熱部材の端部における断熱性能の低下を防ぐことができる。
【００１５】
また、請求項５に係る発明は、請求項３または請求項４のいずれか１項に記載の自動販売機の断熱構造において、真空断熱部材が、厚肉部における薄肉部寄り端部が傾斜した面形状に形成され、前記薄肉部を境目として折り曲げられた状態において、前記厚肉部の傾斜した面同士が互いに当接した形になっていることを特徴とする。
【００１６】
これにより、折り曲げた状態において、両側面部と背面部との境界の隅角部にて、傾斜面同士を当接させた状態で両側面部と背面部とを密着させることができて、真空断熱部材の折り曲げた隅角部が厚肉部で構成されることになるため、隅角部の断熱性能を向上させることができる。
【００１７】
また、請求項６に係る発明は、請求項１ないし請求項５のいずれか１項に記載の自動販売機の断熱構造において、真空断熱部材が、高さ方向に複数分割して配置されていることを特徴とする。
【００１８】
これにより、真空断熱部材を種々の高さの断熱庫に対応して配置することができるとともに、真空断熱部材を小型のものに分割して製作できるので、製造時のコストを削減することができる。
【００１９】
また、請求項７に係る発明の自動販売機の断熱構造は、自動販売機の本体内に断熱庫があり、前記断熱庫が複数の断熱室に分割されており、各前記断熱室の両側面と背面とが断熱仕切壁によって囲まれており、かつ各前記断熱室に商品収容装置が配設されている自動販売機において、前記断熱仕切壁のうち少なくとも一枚は、両側面部と背面部とが繋がった状態の断熱部材で形成されていることを特徴とする。
【００２０】
これにより、自動販売機本体の背面が湾曲した際に、断熱仕切壁背面の動きに断熱仕切壁両側面が追随するようになり、各断熱室における背面部と、断熱仕切板の後辺部との間に生じる隙間をなくすことができる。
【００２１】
また、請求項８に係る発明は、請求項７記載の自動販売機の断熱構造において、折曲断熱仕切壁が、溝状の切り欠きが入った板状の断熱部材を前記溝状の切り欠きに沿って折り曲げることで、両側面部と背面部とが繋がった状態に形成されていることを特徴とする。
【００２２】
これにより、断熱仕切壁を容易に形成することができ、また、断熱仕切り壁をコの字状に成形する場合に比べて、製造のために必要な作業スペースを小さくすることができる。
また、請求項９に係る発明は、請求項８記載の自動販売機の断熱構造において、板状の断熱部材の表面を覆うようにフィルムが貼り付けられ、前記板状の断熱部材に入った溝状の切り欠きの深さが、前記板状の断熱部材の厚み方向において、前記フィルムの手前にまで達する深さであることを特徴とする。
【００２３】
これにより、断熱仕切壁を折り曲げ易くなり、また、折り曲げた状態において、両側面部と背面部との境界の角部において、両側面部と背面部とを密着させることができる。
また、請求項１０に係る発明は、請求項８または請求項９記載の自動販売機の断熱構造において、折曲断熱仕切壁が、折り曲げられた状態において背面部と両側面部との当接部分が背面部に対して傾斜した面同士を当接させた形になっていることを特徴とする。
【００２４】
これにより、折り曲げた状態において、両側面部と背面部との境界の隅角部にて、傾斜面同士を当接させた状態で両側面部と背面部とを密着させることができて、自動販売機本体の背面が湾曲した際に、各断熱室における背面部と、断熱仕切板の後辺部との間に生じる隙間を最小限に抑えることができる。
【００２５】
また、請求項１１に係る発明は、請求項８または請求項９記載の自動販売機の断熱構造において、板状の断熱部材に入れられた溝状の切り欠きが、前記板状の断熱部材の表面に対して垂直に入っていることを特徴とする。
【００２６】
これにより、比較的簡単な構成で断熱仕切壁を製造できる。
また、請求項１２に係る発明は、請求項７ないし請求項１１のいずれか１項に記載の自動販売機の断熱構造において、断熱部材が断熱発泡材で構成されていることを特徴とする。
【００２７】
また、請求項１３に係る発明は、請求項１ないし請求項１２のいずれか１項に記載の自動販売機の断熱構造において、断熱仕切壁に、その表面の少なくとも一部を覆うようにフィルムが貼り付けられていることを特徴とする。
【００２８】
また、請求項１４に係る発明は、請求項１ないし請求項１３のいずれか１項に記載の自動販売機の断熱構造において、フィルムがポリエステルを原料とする素材で構成されていることを特徴とする。
【発明の効果】
【００２９】
本発明に係る自動販売機の断熱構造を用いることにより、自動販売機本体の背面が湾曲した際に、各断熱室における背面部と、断熱仕切板の後辺部との間に生じる隙間をなくすことができるため、各断熱室における背面部と断熱仕切板の後辺部との隙間を空気が移動することによって熱が伝導してしまうことを防ぐことができ、従来技術による自動販売機の断熱構造を用いた場合に比べて、各断熱室間の断熱性能を向上させることができる。
【発明を実施するための最良の形態】
【００３０】
［第１の実施の形態］
本発明の第１の実施の形態について、図１〜５を参照しながら説明する。
図１は、本実施の形態における自動販売機の斜視図、図２は同自動販売機の内部構造を示す側面断面図である。
【００３１】
図１に示すように、自動販売機１は、自動販売機本体２の外枠部分に対して前面扉３が開閉自在に取り付けられて、前面を開放することが可能に構成されている。自動販売機本体２の内部における上部から中央部および下部寄り箇所にかけて断熱庫４が配設され、この断熱庫４は、その前方に開閉自在に取り付けられた内扉５によって前面を開放することが可能に構成されている。
【００３２】
図２に示すように、自動販売機本体２の内部において、断熱庫４の下方には機械室６が設けられており、この機械室６には冷媒圧縮機や凝縮機、換気ファンなどが備えられていて、この機械室６の動作によって断熱庫４内に配設された蒸発機やヒータなどにより、断熱庫４内の空気を冷却または加熱して、断熱庫４内の温度を調整することが可能になっている。
【００３３】
断熱庫４の内部においては、上下に延びる断熱性を有する断熱仕切壁１０によって、左右に分割されて複数の断熱室１２が設けられている。
商品（ＰＥＴボトルや金属缶など）７が収納される商品収納装置８は前記各断熱室１２に配設されており、この商品収納装置８は、断熱庫４の上面板（すなわち各断熱室１２の天面）にガイドレール装置９を介して吊り下げられる形に取り付けられていて、ガイドレール装置９の範囲内で前後に摺動して移動可能になっている。
【００３４】
商品収納装置８は上方前面に商品受入口８ａを有しており、ここから商品収納装置８に投入された商品７は、図２に示すように、商品収納装置８内部に設けられた搬送通路内で上下に積み重なるようにして収納される。
【００３５】
断熱室１２における商品収納装置８の下方には、商品収納装置８の下端部から払い出された商品８を手前側に導くシュート装置１１が、手前側ほど下方となる傾斜姿勢で配設されている。
【００３６】
自動販売機１の利用者が前面扉３に設けられた貨幣受入口に貨幣を投入し、前面扉に設けられた前面操作部を操作すると、商品収納装置８の下端部の商品７が商品収納装置８より払い出されて、シュート装置１１により手前側に導かれ、内扉５の下端部に形成された内扉出口５ａを通過して、前面扉３の下部に設けられた商品取出口３ａに排出される。
【００３７】
以上が本実施の形態における自動販売機１の全体的な構成である。
上記において、各断熱仕切壁１０は、断熱庫４を複数の断熱室１２に仕切るための仕切板であり、この仕切板に囲まれた領域はそれぞれ異なる適正温度の商品が収納される。例えば、ある断熱室には適正温度４０℃〜６０℃の商品（以下ＨＯＴ商品という）が、また異なる断熱室には適正温度５℃〜１０℃の商品（以下ＣＯＬＤ商品という）が収納されるといった具合である。
【００３８】
これらＨＯＴ商品とＣＯＬＤ商品とが互いに断熱室に収納されたときに、それぞれの断熱室内の熱が他の断熱室に移ることのないよう、各断熱室１２同士の間は断熱仕切壁１０で仕切られているが、商品収納装置８は先述の通り各断熱室１２の天井面から吊り下げられている。したがって、極めて大きな加重が天井面より下方に作用することとなり、その荷重により断熱庫４の背面部が側面視において中央が後方に膨らむように湾曲してしまい、従来の構造では、先に述べたような断熱性能の低下を引き起こしてしまう。
【００３９】
この問題に対処するため、本実施の形態においては以下のように断熱仕切壁１０を構成している。
本実施の形態における断熱仕切壁１０の構造を図３、図４に示す。
【００４０】
図３は断熱仕切壁１０の斜視図であり、図３（ａ），（ｂ）と図３（ｃ）とでは、それぞれ異なる断熱仕切壁１０の構成を示している。また、図４は自動販売機本体２の平面断面図であり、図４（ａ）と図４（ｂ）と図４（ｃ）とでは、それぞれ異なる断熱仕切壁１０の配置を示している。
【００４１】
なお、これらの図においては、断熱仕切壁１０の様子が把握し易いように、商品収納装置８等は図示せずに、断熱仕切壁１０のみを図示しており、さらに断熱仕切壁１０の厚みを強調して厚めに描いている。
【００４２】
図３（ａ），（ｂ）、図４において、断熱仕切壁１０は、内部が真空状態に密閉された真空断熱部材１４と、ウレタンなどによって構成される断熱保護部材１６とで、断熱を行っている部分を構成している。
【００４３】
そして、真空断熱部材１４は平面視コの字状に形成されており、その内周へ沿うように、断熱保護部材１６が配設される。ここで、図３（ａ）に示すように、断熱保護部材１６は背面側部材１６ａ，左側面部材１６ｂ，右側面部材１６ｃの、３枚の板状部材で構成されており、各断熱室１２に対応してこれらの３枚がそれぞれ配設されている。
【００４４】
断熱保護部材１６の配置について詳しく説明すると、図４（ａ）に示すように、左右面部材１６ｂ，１６ｃはそれぞれ各断熱室１２の内周の左右側面に沿うように配設され、背面側部材１６ａは各断熱室１２の内周の背面側に沿うように配設されている。
【００４５】
ここで、背面側部材１６ａは、その幅方向両端において左右側面部材１６ｂ，１６ｃの奥側部分の内側表面に当接するようになっており、各断熱室１２の奥側において左右側面部材にはさまれ、真空断熱部材１４の内側に密接した状態で配設されている。
【００４６】
また、図４に示すように、真空断熱部材１４は各断熱室１２同士の間の領域（左右側面側）だけでなく、各断熱室１２の背面側にも回り込むように配設されており、図４（ａ）の各断熱室１２及び図４（ｂ）の左右の断熱室１２においては、真空断熱部材１４は左右側面と背面とが繋がった面材で構成されている。
【００４７】
この真空断熱部材１４は、アルミニウムなど（空気を通さず、かつ延性・展性・剛性などの性質が扱いやすいものであれば代用可能）を外殻の素材とする容器であり、この内部が真空状態に密閉された状態で構成されている。
【００４８】
この容器は、全体としては一枚の面材であるが、図３（ｂ）に示すとおり厚肉部１４ａ，４７ｄ，１４ｅと薄肉部１４ｂ，１４ｃとを有している。この真空断熱部材１４をコの字状に形成するには、薄肉部１４ｂ，１４ｃを折り目として折り曲げればよい。こうすることで、断熱性能を損なうことなく、左右側面と背面とが繋がったコの字状の面材として真空断熱部材１４を構成することができる。なお、必要に応じて、真空断熱部材１４の内部に形状保持用の粉体などを充填してもよい。
【００４９】
そして、このコの字状の真空断熱部材１４の内周に沿って断熱保護部材１６を配置することにより、図４（ａ）に示すような、真空断熱部材１４と断熱保護部材１６による二重構造の断熱仕切壁１０を形成することができる。
【００５０】
次に、真空断熱部材１４と断熱保護部材１６とを互いに固定する方法について、図５を参照して説明する。
図５は真空断熱部材１４と断熱保護部材１６とで構成される断熱仕切板１０の前端部を拡大して示す図であり、図５（ａ），図５（ｂ），図５（ｃ）はそれぞれ異なる形態を示している。
【００５１】
図５（ａ）に示すように、断熱仕切板１０の前端部にはパッキン２０が取り付けられており、内扉５が閉まった際の断熱仕切壁１０の前端部における密閉性を高めるようになっている。
【００５２】
このパッキン２０は断熱仕切壁１０の前端部に取り付けられた基部２０ａとこの基部２０ａから膨出する２０ｂとを備えている。図５（ａ）に示すものにおいては、断熱仕切壁１０の前端部には金枠２２が取り付けられており、パッキン２０の基部２０ａには係合部が設けられている。そして、金枠２２には、その前端から鉤状に突出する突出部が設けられており、ここに基部２０ａに設けられた係合部が係合する。
【００５３】
金枠２２は、断熱仕切壁１０に固定用テープ２９で取り付けられており、具体的には、図５（ａ）に示すように、断熱保護部材１６の前端部に当接する姿勢で断面コの字状の補助金具２４が左右から真空断熱部材１４を挟持する状態で配設されていて、固定用テープ２９は、金枠２２と断熱保護部材１６とにまたがって貼り付けられている。
【００５４】
パッキン２０のその他の取り付け方としては、図５（ｂ）に示すように、基部２０ａに突起を設け、補助金具２７同士の間に形成された溝部にはめ込んで取り付けてもよい（このとき、固定用テープ２９は補助金具２７と断熱保護部材１６とにまたがるように貼り付ける）。また、図５（ｃ）のように、パッキン２０の基部２０ａから延長して伸びる取付部３２で補助金具２４を覆うようにして、さらに取付部３２と断熱保護部材１６とにまたがるように固定用テープ２９を貼り付けてもよい。
【００５５】
以上のようにして構成された断熱仕切壁１０は、図４（ａ）に示すように断熱庫４の内部へ幅方向に並べられることによって複数の断熱室１２を形成する。このとき、各断熱室１２は一枚の面材からなる真空断熱部材１４で覆われているため、たとえ断熱室１２内に収納される商品の数が増えて図８のように自動販売機本体２の背面が膨らんでしまったとしても、断熱仕切壁１０の背面と両側面とは１枚の板として繋がっているため、背面と両側面との間に隙間ができることがなく、断熱性能の低下を最小限に抑えることが出来る。
【００５６】
また、この実施の形態によれば、以下のような問題点も解決される。
断熱仕切壁１０を真空断熱部材１４のみで構成した場合、商品７の収納を行う作業時に真空断熱部材１４を傷付けてしまったり、外部からの衝撃により自動販売機１全体が揺れたときに断熱室１２内に配設された器具（商品収納装置８など）が真空断熱部材１４を傷付けてしまったりするおそれがある。このときに、付けられた傷によって真空断熱部材１４内部の真空状態が損なわれると、断熱性能が大幅に低下してしまう。
【００５７】
しかし、本実施の形態によれば、断熱室１２を囲む真空断熱部材１４は断熱保護部材１６により内側から覆われて保護されているので、断熱室１２内に配設された器具などによって真空断熱部材１４が傷付けられるおそれがなく、断熱性能が大幅に低下することが防止される。
【００５８】
なお、図４（ａ）では各断熱室１２のそれぞれを真空断熱部材１４で囲むように構成しているが、図４（ｂ）のように、左右の断熱室を真空断熱部材１４で囲い、中央の断熱室には背面側にのみ真空断熱部材１４を配設するようにしてもよい。この場合でも、左右の断熱室については、十分な断熱性能が得られるように構成されているため、中央の断熱室と左右の断熱室間で熱が移動してしまうおそれがない。
【００５９】
また、断熱仕切壁１０の構成の別例として、以下のような構成を採用してもよい。
まず、断熱部材１４と同等の素材からなる真空断熱部材１９を、厚肉部１９ａ，１９ｂ，１９ｃにおける薄肉部寄り端部が傾斜した面１９ｄとなる形状に形成しておく。そして、薄肉部を境目として折り曲げられた状態において、図４（ｃ）に示すように、厚肉部１９ａ，１９ｂ，１９ｃの傾斜した面１９ｄ同士が互いに当接した形になるようにする。
【００６０】
このように真空断熱部材１９を構成することで、真空断熱部材１９は、両側面部（厚肉部１９ｂ，１９ｃ）と背面部（厚肉部１９ａ）との境界の隅角部において、傾斜した面１９ｄが互いに当接した形になっているため、両側面部と背面部とを密着させることができて、隅角部の断熱性能を向上させることができる。
【００６１】
また、図示しないが、断熱室のうちいくつかについては熱が多少移動してしまってもよい場合（例えば同程度の温度のＨＯＴ商品用の断熱室が左右に二つ並んでいて、その横にＣＯＬＤ商品用の断熱室が配置されている場合など）には、断熱性能を向上させたい断熱室（先述の例ではＣＯＬＤ商品用の断熱室）にのみ真空断熱部材１４と断熱保護部材１６による断熱仕切壁１０を設け、その他の断熱室には断熱保護部材１６のみによる断熱仕切壁を配設するようにしてもよい。
【００６２】
このように、少なくとも一つの断熱室の断熱仕切壁１０が真空断熱部材１４と断熱保護部材１６による二重構造になっていれば、その二重構造の断熱仕切壁１０が配設されている断熱室と他の断熱室とは十分に断熱された状態になる。
【００６３】
また、図３（ｃ）に示すように、真空断熱部材１４を背面真空断熱部材１４ｆと、左側面真空断熱部材１４ｇと、右側面真空断熱部材１４ｈに分けて、背面真空断熱部材１４ｆの幅方向両端において厚肉部による折角部１４ｉを形成しておき、この折角部１４ｉに左右側面真空断熱部材１４ｇ，１４ｈを当接することで真空断熱部材１４を形成してもよい。こうすることで、さまざまな寸法の自動販売機に適合する断熱仕切壁を形成することができるとともに、真空断熱部材を小型のものに分割して製作できるので、製造時のコストを削減することができる。
【００６４】
また、図３（ｄ）に示すように、真空断熱部材１４を縦に複数並べて、全体として自動販売機１の高さに合わせるようにしてもよい。こうすることで、さまざまな高さの自動販売機に適合する断熱仕切壁を形成することができるとともに、真空断熱部材１４を小型のものに分割して製作できるので、製造時のコストを削減することができる。
【００６５】
なお、必要に応じて、断熱性能の向上と表面保護のために、真空断熱部材１４や断熱保護部材１６の表面にポリエチレンなどからなるフィルムを貼り付けてもよい。
［第２の実施の形態］
次に、本発明の第２の実施の形態を、図６を基に説明する。図６は第２の実施の形態における自動販売機の断熱仕切壁を示す図であり、図６（ａ）は製造時の様子を示す上面図、図６（ｂ）は自動販売機内に組み込んだときの上面図、図６（ｃ）は各断熱仕切壁の相対的な配置を示す斜視図である。図６において、第１の実施の形態と同様の構成については同一の符号を付す。
【００６６】
この実施の形態においては、真空断熱部材は使用せず、ウレタン（発泡剤）などの断熱部材４２のみを使用して断熱仕切壁を構成する。
本実施の形態においては、断熱部材４２は、１枚の板状体の発泡部材を材質とした平面視コ字状の形状をなしており、この断熱部材４２を幅方向に複数並べることで、断熱庫４内に、一枚の断熱部材４２で囲まれた断熱室１２が複数形成される。
【００６７】
断熱部材は、図６（ａ）に示すように、木枠４０に発泡材などの素材を注入することで形成される。この木枠４０は、断熱部材４２の形成空間となるくぼみ部が形成された本体部４０ａと、この本体部４０ａのくぼみを覆う蓋部４０ｂとで構成される。
【００６８】
木枠４０内の空間は、断面が台形状の空間が複数並べられたものになっており、木枠４０には図示しない注入孔が設けられてある。この注入孔から先述の台形状の空間に発泡部材などの材質を注入することで断熱部材４２の形成を行う。
【００６９】
本体部４０ａの底面と、蓋部４０ｂの本体部４０ａに面する側とには予めＰＥＴなどのフィルム４４が配設されており、この木枠４０内で形成される断熱部材４２にはこのフィルム４４が貼りついた状態となる。
【００７０】
そうして形成される断熱部材４２は、１枚の板に溝状の切り込み４２ｂが入った形となる。この断熱部材４２を溝状の切り込み４２ｂに沿って折り曲げることにより、背面部と両側面部との当接部分が背面部に対して傾斜した面４２ａ同士を当接した形の、平面視コ字状の断熱部材４２が構成される。
【００７１】
そして、これらの断熱部材４２を断熱庫４内に並べた上で、第１の実施の形態と同じく、前方扉３側にパッキン２０が取り付けられて、断熱仕切壁１０が構成される。
この構成によれば、各断熱室１２内において、断熱仕切壁１０の背面と両側面とが一枚に繋がった状態になっているため、天面に掛かる荷重が大きくなって自動販売機本体２の背面が膨らんでしまったとしても、各断熱仕切壁１０の背面の湾曲に両側面が追随するため、背面と両側面との間に、従来のように隙間が生じることを防止し、断熱性能を向上することができる。
【００７２】
また、この実施の形態によれば、気密性を保つための補助部材が必要なくなるため、コストダウンを図ることもできる。
なお、この実施の形態についても、少なくとも一つの断熱室の断熱仕切壁１０が断熱部材４２を折り曲げて形成された形状になっていれば、折り曲げて形成された断熱仕切壁１０が配設されている断熱室と他の断熱室とは十分に断熱された状態になる。
【００７３】
［第３の実施の形態］
次に、本発明の第３の実施の形態を、図７を基に説明する。図７は第３の実施の形態における自動販売機の断熱仕切壁を示す図であり、図７（ａ）は各断熱壁を折り曲げる前の様子を示す上面図、図７（ｂ）は折り曲げた後の様子を示す上面図、図７（ｃ）は各断熱壁を組み合わせた様子を示す上面図、図７（ｄ）は各断熱仕切壁の相対的な配置を示す斜視図である。図７において、第１，第２の実施の形態と同様の構成については同一の符号を付す。
【００７４】
第２の実施の形態では、一つの断熱部材によって一つの断熱室を囲むように構成していたが、この実施の形態では、図７に示すように、互いに形状の異なる第１、第２、第３の断熱部材５１，５２，５３を組み合わせることで各断熱室が構成されている。
【００７５】
第１，第３の断熱部材５１，５３は角部を有する平面視Ｌ字状の形状、第２の断熱部材５２は平面視コ字状の形状となっている。
第１、第３の断熱部材５１，５３の角部では、背面に対して傾斜した面５１ｂ，５３ｂ同士が当接するようにして、側面がつながっている。また、断熱室の内側に臨む側と、筐体に臨む側にフィルム５５（ＰＥＴなど）が貼り付けられている。
【００７６】
第２の断熱部材５２は、第１、第３の断熱部材５１，５３と異なり、背面に対する傾斜面を有さず、背面と側面とはフィルム５５のみによって繋がっている。
図７（ｂ）の状態において、第２の断熱部材５２には、側面の奥行き方向の長さは断熱室１２の奥行きと同じだけの長さしか用意されておらず、また、背面の幅方向の長さは断熱室１２の幅方向の長さしか用意されていない。
【００７７】
図７（ａ）の状態において、第２の断熱部材５２に対して、側面の後端部５２ａ，５２ｂには、第１、第３の断熱部材の背面の端５１ａ，５３ａが当接して配置されるようはめ込まれている。
【００７８】
第１、第３の断熱部材５１，５３は第２の実施の形態と同じく、本体部にくぼみのある木枠に発泡部材を注入することで形成され、第２の断熱部材は直方体の空洞を有する木枠に発泡部材を注入することで形成される。
【００７９】
第２の断熱部材５２に対して、第２の断熱部材５２の厚み方向において、フィルム５５の手前にまで達する深さの切込みをカッターで入れることで、第２の断熱部材は片側の面のみフィルムが繋がった状態となり、この繋がった側に向けて先述の切り込みに沿って折り曲げることにより、平面視コ字状の断熱仕切壁１０を構成することができる。
【００８０】
このようにして構成された第１、第２、第３の断熱部材５１，５２，５３を先述のように、第２の断熱部材５２に対して側面の後端部５２ａ，５２ｂに第１、第３の断熱部材の背面の端５１ａ，５３ａが当接して配置されるようはめ込んで組み合わせるように配置することで、自動販売機本体２の背面が湾曲しても、各断熱室１２において、断熱仕切壁１０の側面が背面に追随するようになるため、自動販売機本体２の背面湾曲による断熱性能の低下を最小限に抑えることが出来る。
【００８１】
以上のように、いずれの実施の形態においても、自動販売機本体の背面が湾曲した際に、各断熱室における背面部と、断熱仕切壁の後辺部との間に生じる隙間を最小限に抑えることができる。
【００８２】
よって、各断熱室の背面部と断熱仕切壁の後辺部との間を伝って各断熱室間で熱が伝導してしまうことを防ぐことができる。これにより、従来技術による自動販売機の断熱構造を用いた場合に比べて、断熱庫内の断熱性能を向上させることができる。
【図面の簡単な説明】
【００８３】
【図１】第１の実施の形態における自動販売機の斜視図である。
【図２】同自動販売機の内部構造を示す側面断面図である。
【図３】同自動販売機の断熱仕切壁の斜視図であり、（ａ），（ｃ），（ｄ）はそれぞれ異なる断熱仕切壁の構成を示しており、（ｂ）は折り曲げられる前の真空断熱保護部材の形状を示している。
【図４】同自動販売機の断熱仕切壁の上面図であり、（ａ）と（ｂ）と（ｃ）はそれぞれ異なる断熱仕切壁の構成を示している。
【図５】同自動販売機における真空断熱部材と断熱保護部材とで構成される断熱仕切板の前端部を拡大して示す図であり、（ａ），（ｂ），（ｃ）はそれぞれ異なる形態を示している。
【図６】第２の実施の形態における自動販売機の断熱仕切壁を示す図であり、（ａ）は製造時の様子を示す上面図、（ｂ）は自動販売機内に組み込んだときの上面図、（ｃ）は各断熱仕切壁の相対的な配置を示す斜視図である。
【図７】第３の実施の形態における自動販売機の断熱仕切壁を示す図であり、（ａ）は各断熱壁を折り曲げる前の様子を示す上面図、（ｂ）は折り曲げた後の様子を示す上面図、（ｃ）は各断熱壁を組み合わせた様子を示す上面図、（ｄ）は各断熱仕切壁の相対的な配置を示す斜視図である。
【図８】従来技術における自動販売機の側面図である。
【符号の説明】
【００８４】
１    自動販売機
２    自動販売機本体
３    前面扉
４    断熱庫
１０  断熱仕切壁
１２  断熱室
１４  真空断熱部材
１６  断熱保護部材
２０  パッキン
４２  断熱部材
【図１】
2010108199.tif 000003
【図２】
2010108199.tif 000004
【図３】
2010108199.tif 000005
【図４】
2010108199.tif 000006
【図５】
2010108199.tif 000007
【図６】
2010108199.tif 000008
【図７】
2010108199.tif 000009
【図８】
2010108199.tif 000010